(57)【要約】【課題】  本発明は折り装置に関するものであり、これを使用することによりわずかな技術コストで場所もとらずに多様な折加工を行うことができる。【解決手段】  この装置は、最大ウェブ幅（ｂ）以下の幅の少なくとも一つのウェブを折るためのものであり、このウェブは、２つの同幅の部分ウェブ（１１、１２）に分割することも選択できる。この装置には上下に配置された２つのフォーマ（２、３）があり、一方のフォーマ（３）は半ウェブ幅用であるが、これはウェブ全幅（ｂ）用のフォーマ（２）の上の全ウェブ幅（ｂ）の部分に配置されている。このとき、側面から見ると両方のフォーマ（２、３）のフォーマ先端（１５，１６）がほぼ垂直な平面（Ｅ）上に位置しており、折り後に部分ウェブ（１１、１２）がほぼぴたりと重なり合ってさらに加工が行える。【選択図】図１
2005219930.tif 000002
【特許請求の範囲】
【請求項１】
上下に配置された、必要に応じて２つの同幅部分ウェブに分割可能であるが最大ウェブ幅（ｂ）にも折ることができる２つのウェブ（７）を折るための２つのフォーマ（２、３）を備えた装置において、
一つのフォーマ（２）は未分割または分割されたウェブ幅（ｂ）を折るためのメイン・フォーマとして適しており、もう一方のフォーマ（３）は分割されたウェブ幅（ｂ）を折るために設けられており、かつ、フォーマ（２、３）の配置が、２つのフォーマ（２、３）のフォーマ先端（１５，１６）が側面図においてほぼ垂直な平面上にあり、折り後の部分ウェブ（１１、１２）がほぼぴたりと合わさってさらに加工が行われるようになっていることを特徴とする装置。
【請求項２】
請求項１に記載の装置において、
半ウェブ幅用のフォーマ（３）が、横に移動できるよう配置されることを特徴とする装置。
【請求項３】
請求項１に記載の装置において、
両方の部分ウェブ（１１、１２）を、折り装置または切断装置（１３）に送り込めることを特徴とする装置。
【請求項４】
請求項１に記載の装置において、
両方の部分ウェブ（１１、１２）を、さらなる加工のための別個の複数の装置、特に複数の折り装置または切断装置（１３、１４）に送り込めることを特徴とする装置。
【請求項５】
請求項１に記載の装置において、
ウェブ幅（ｂ）の半分の幅用のフォーマ（３）が、全ウェブ幅（ｂ）の部分に配置されていることを特徴とする装置。
【発明の詳細な説明】
【技術分野】
【０００１】
本発明は、請求項１の上位概念による折り装置に関するものである。
【背景技術】
【０００２】
特許文献１より、ウェブ輪転印刷機内に設けられた、複数の同幅ウェブの縦方向折り装置が知られているが、これは、３つのフォーマのうちの２つのフォーマが上下になるように配置されており、２分割または３分割した部分ウェブの加工が可能である。最大ウェブ幅の未分割のウェブを、３つのフォーマのうちの１つを介して折ることは不可能である。
【特許文献１】独国特許発明第４２０４２５４号明細書
【発明の開示】
【発明が解決しようとする課題】
【０００３】
本発明が解決しようとする課題は、技術コストを抑え、しかも場所もとらずに多様な折加工ができるように、請求項１の上位概念による折り装置を発展させることである。
【課題を解決するための手段】
【０００４】
この課題は、請求項１の特徴により解決できる。
【０００５】
この新しい解決法では、半ウェブ幅用にサイズの小さなフォーマがもう一つ設けられており、これが、場所をとらないように、メイン・フォーマとして構成されるフォーマの支持壁の間に、ウェブ全幅用のメイン・フォーマ上部において最大ウェブ幅のおよそ半分の位置に非対称的に配置されている。ここで、両方のフォーマのフォーマ先端は、横から見たときに正確にまたはミリ単位のわずかなずれのみでほぼ正確に垂直な平面上に位置しているため、折り後の部分ウェブがほぼぴたりと合わされてさらに加工が行える。配置の高さについては、フォーマ配置全体の高さが、折り装置の操作人員に必要な頭上間隔を超えないか、またはわずかにしか超えないながらも、メイン・フォーマ操作に支障が出ないように選択するのが望ましい。
【０００６】
本発明の構成の装置は、ウェブ全幅上に並列して同様に印刷され、その後ウェブ半幅に縦方向に切断された部分ウェブを、縦方向に折って例えば同時に２つの折り加工をすることも、また、ウェブ最大幅以下の任意幅に印刷されたフル・ウェブを、縦方向に折って一度に１つの折り加工をすることも、また、ウェブ半幅を縦方向に切断した部分ウェブを、縦方向に折って２つの折り加工をすることもできる。
【０００７】
本発明により、大フォーマを使った最大ウェブ幅以下のシングル・ウェブ運転に加えて、２つのフォーマを使ったそれぞれ半幅のダブル・ウェブ運転をすることにより、単純な手段とコンパクトな空間で、例えば同種の加工を２つ同時に行うことや、２種類の加工を同時に行うことが可能となる。
【０００８】
本発明は、最大ウェブ幅（ｂ）以下の幅の少なくとも一つのウェブを折るためのものであり、このウェブは、２つの同幅部分ウェブに分割するよう選択することもできる。この装置には上下に配置された２つのフォーマがあるが、一方の半ウェブ幅用のフォーマは、メイン・フォーマとして構成されたウェブ全幅用のフォーマの上の、全幅ウェブ部分に配置されている。このとき、側面から見ると両方のフォーマのフォーマ先端はほぼ垂直な平面上に位置しており、折り後の部分ウェブがほぼぴたりと重なり合ってさらに加工ができる。
【０００９】
本発明のその他の望ましい構成は、明細書および従属請求項に記載されている。
【発明を実施するための最良の形態】
【００１０】
以下、本発明を、一実施例を例にして説明する。
【００１１】
図１には、メイン・フォーマとして構成されたフォーマ２を示しているが、これは、側壁６の間に配置され、最大ウェブ幅ｂまたは部分ウェブ幅を縦方向に折る。入口部分には、既知の方法で、少なくとも一つのウェブ７を送り込むためのフォーマ胴４が、出口部分には、対になった折胴９が配置されている。メイン・フォーマ２の上には、最大ウェブ幅ｂのおよそ半分ほどのところに、半ウェブ幅用の小フォーマ３が配置されており、これも既知の方法で、入口部分にはフォーマ胴５が、出口部分には対になった折胴１０が配置されている。小フォーマ３は、メイン・フォーマ２の機能や操作性に悪影響を与えることなくメイン・フォーマ２の一部とオーバーラップすることができるため、場所が節約できる。フォーマ２、３はフォーマ先端１５、１６を有しているが、これは横から見ると正確に、またはミリ単位のわずかなずれがあるのみで垂直平面Ｅ上にある（図２参照）。
【００１２】
このとき、部分ウェブ７を縦折にする大メイン・フォーマ２は最大ウェブ幅ｂ以下のウェブの縦折のみを担当するのに対して、部分ウェブ８を縦折にする小フォーマ３はウェブ幅ｂの半分以下の幅のウェブ８の縦折を担当する。小フォーマは、折り部分において大メイン・フォーマ２の上にウェブ幅ｂのおよそ１／４の距離まで中に入り込むよう配置されているため、部分ウェブ７と８から構成される縦折された両方のウェブ１１、１２がそれぞれ２つの折胴９または１０を介して重なり合うように流れるが、このとき、小フォーマ３に属する折胴１０の片側が、フレームに片持ち軸受けされていることが望ましい。小フォーマ３はウェブ８の搬送方向に対して交差する向きになっていることが望ましい。
【００１３】
小フォーマ３が追加された製品バリエーションは以下のとおりである。
全体幅ｂのウェブは、切断装置付きターニング・ユニット（図示されず）内で縦方向に切断される。部分ウェブ７はメイン・フォーマ２の中央で、もう一方の部分ウェブ８は小フォーマ３の中央でターニングされる。メイン・フォーマ２の出口には部分ウェブ７がウェブ１１として、小型フォーマ３の出口には部分ウェブ８がウェブ１２として流れており、横から見ると正確にまたはほぼ正確にぴたりと合わさる（図２参照）。部分ウェブ７、８が正確にまたはほぼ正確にぴたりと合わさるのは、上記フォーマ先端１５、１６が垂直平面Ｅ上に配置されていることにより可能となる。延伸・ウェブ搬送胴（図示されず）を介して両方のウェブ１１、１２が、デリバリ部付きの１つまたは２つの折りまたは切断装置１３、１４に送り込まれる。切断装置１４はカッターまたは切断機という概念で知られており、縦折された部分ウェブまたは全幅ウェブの製品はこれを使って横方向に切断されてデリバリ部に送られる。
【００１４】
また、印刷用紙を適切に配置すれば、この場合は別々の印刷が行われた２つの部分ウェブ７、８を大メイン・フォーマ２を介して加工することにより単一の仕上がり品を折り装置１３で作ることができる。未分割のウェブの加工についても同様である。
【００１５】
いずれもウェブ幅ｂの半分の幅である２つの部分ウェブを加工する場合、この装置は、例えば、いわゆる１６ページ装置（およそＡ４）において、カッターまたは切断装置１４を使用することにより４×４ページまたは２×８ページの加工をし、折り装置１３からデリバリされるように構成することができる。
【図面の簡単な説明】
【００１６】
【図１】２つのフォーマを備える本発明の折り装置である。
【図２】図１の側面図である。
【符号の説明】
【００１７】
１  フォーマの配置
２  フォーマ
３  小フォーマ
４  フォーマ胴
５  フォーマ胴
６  側壁
７  部分ウェブ
８  部分ウェブ
９  折胴
１０  折胴
１１  ウェブ
１２  ウェブ
１３  折り装置または切断装置
１４  折り装置または切断装置
１５  フォーマ先端
１６  フォーマ先端
【図１】
2005219930.tif 000003
【図２】
2005219930.tif 000004